(57)【要約】【課題】簡便な構成で重量ランク選別、組み合わせ計量と併用可能なランク選別、ペース配分が可能なナビゲーション、或いは、秤量対象物へのタッチ数を減らすことのできる、計量機、組み合わせ計量機、計量機の使用方法及び組み合わせ計量機の使用方法を実現する。【解決手段】野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことを特徴とする、計量機或いは組み合わせ計量機であり、それらの使用方法である。【選択図】図１
2019020308.tif 000002
【特許請求の範囲】
【請求項１】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことを特徴とする、
計量機或いは組み合わせ計量機。
【請求項２】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、設定重量に対して重量をバー表示することにより重量ランクを示すことを特徴とする、
計量機或いは組み合わせ計量機。
【請求項３】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートすることを特徴とする、
計量機或いは組み合わせ計量機。
【請求項４】
該マトリクス表示素子は、マトリクスＬＥＤ表示素子であることを特徴とする、
請求項１乃至３の何れか一に記載の計量機或いは組み合わせ計量機。
【請求項５】
該組み合わせ計量機は、
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップすることを特徴とする、
請求項１乃至４の何れか一に記載の組み合わせ計量機。
【請求項６】
該組み合わせ計量機の計量皿は、
一列又は二列に配置されてなり、
重量ランク選別を含む作業時に於いて両側からの作業が可能であることを特徴とする、
請求項１乃至５の何れか一に記載の組み合わせ計量機。
【請求項７】
該組み合わせ計量機の計量皿は、
一列又は二列に配置されてなり、
且つ、一列の場合にもその両側に指示機構を有して両側からの作業が可能であることを特徴とする、
請求項６記載の組み合わせ計量機。
【請求項８】
該計量機或いは組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１乃至７の何れか一に記載の計量機或いは組み合わせ計量機。
【請求項９】
該計量機或いは組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする、
請求項１乃至８の何れか一に記載の計量機或いは組み合わせ計量機。
【請求項１０】
該組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする、
請求項５乃至９の何れか一に記載の計量機或いは組み合わせ計量機。
【請求項１１】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し、
さらに該計量機或いは組み合わせ計量機は移動のための車輪或いは台車を有し、計量物の収穫場所にて使用可能なことを特徴とする、
計量機或いは組み合わせ計量機の使用方法。
【請求項１２】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、設定重量に対して重量をバー表示することにより重量ランクを示す機構を有し、
さらに該計量機或いは組み合わせ計量機は移動のための車輪或いは台車を有し、計量物の収穫場所にて使用可能なことを特徴とする、
計量機或いは組み合わせ計量機の使用方法。
【請求項１３】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートする機構を有し、
さらに該計量機或いは組み合わせ計量機は移動のための車輪或いは台車を有し、計量物の収穫場所にて使用可能なことを特徴とする、
計量機或いは組み合わせ計量機の使用方法。
【請求項１４】
該マトリクス表示素子は、マトリクスＬＥＤ表示素子であることを特徴とする、
請求項１１乃至１３の何れか一に記載の計量機或いは組み合わせ計量機の使用方法。
【請求項１５】
該組み合わせ計量機は、
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップすることを特徴とする、
請求項１１乃至１４の何れか一に記載の組み合わせ計量機の使用方法。
【請求項１６】
該組み合わせ計量機の計量皿は、
一列又は二列に配置されてなり、
重量ランク選別を含む作業時に於いて両側からの作業が可能であることを特徴とする、
請求項１１乃至１５の何れか一に記載の組み合わせ計量機の使用方法。
【請求項１７】
該組み合わせ計量機の計量皿は、
一列又は二列に配置されてなり、
且つ、一列の場合にもその両側に指示機構を有して両側からの作業が可能であることを特徴とする、
請求項１６記載の組み合わせ計量機の使用方法。
【請求項１８】
該計量機或いは組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１１乃至１７の何れか一に記載の計量機或いは組み合わせ計量機の使用方法。
【請求項１９】
該計量機或いは組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする、
請求項１１乃至１８の何れか一に記載の計量機或いは組み合わせ計量機の使用方法。
【請求項２０】
該組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする、
請求項１５乃至１９の何れか一に記載の計量機或いは組み合わせ計量機の使用方法。
【請求項２１】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し重量ランク選別に使用でき、
さらに該計量機或いは組み合わせ計量機は移動のための車輪或いは台車を有し、計量物の収穫場所にて使用可能なことを特徴とする、
計量機或いは組み合わせ計量機。
【請求項２２】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、設定重量に対して重量をバー表示することにより重量ランク選別に使用できることを特徴とする、
計量機或いは組み合わせ計量機。
【請求項２３】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートすることができることを特徴とする、
計量機或いは組み合わせ計量機。
【請求項２４】
該マトリクス表示素子は、マトリクスＬＥＤ表示素子であることを特徴とする、
請求項２１乃至２３の何れか一に記載の計量機或いは組み合わせ計量機。
【請求項２５】
該組み合わせ計量機は、
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップすることを特徴とする、
請求項２１乃至２４の何れか一に記載の組み合わせ計量機。
【請求項２６】
該組み合わせ計量機の計量皿は、
一列又は二列に配置されてなり、
重量ランク選別を含む作業時に於いて両側からの作業が可能であることを特徴とする、
請求項２１乃至２５の何れか一に記載の組み合わせ計量機。
【請求項２７】
該組み合わせ計量機の計量皿は、
一列又は二列に配置されてなり、
且つ、一列の場合にもその両側に指示機構を有して両側からの作業が可能であることを特徴とする、
請求項２６記載の組み合わせ計量機。
【請求項２８】
該計量機或いは組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１７乃至２３の何れか一に記載の計量機或いは組み合わせ計量機。
【請求項２９】
該計量機或いは組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする、
請求項２１乃至２８の何れか一に記載の計量機或いは組み合わせ計量機。
【請求項３０】
該組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする、
請求項２５乃至２９の何れか一に記載の計量機或いは組み合わせ計量機。
【請求項３１】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し重量ランク選別に使用でき、
さらに該計量機或いは組み合わせ計量機は移動のための車輪或いは台車を有し、計量物の収穫場所にて使用可能なことを特徴とする、
計量機或いは組み合わせ計量機の使用方法。
【請求項３２】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、設定重量に対して重量をバー表示することにより重量ランクを示す機構を有し重量ランク選別に使用でき、
さらに該計量機或いは組み合わせ計量機は移動のための車輪或いは台車を有し、計量物の収穫場所にて使用可能なことを特徴とする、
計量機或いは組み合わせ計量機の使用方法。
【請求項３３】
野菜・食品等の単体及び／又は組み合わせを秤量するための計量機或いは組み合わせ計量機において、
該計量機或いは組み合わせ計量機の各計量部位は近傍にマトリクス表示素子を備え、
該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートする機構を有し、
さらに該計量機或いは組み合わせ計量機は移動のための車輪或いは台車を有し、計量物の収穫場所にて使用可能なことを特徴とする、
計量機或いは組み合わせ計量機の使用方法。
【請求項３４】
該マトリクス表示素子は、マトリクスＬＥＤ表示素子であることを特徴とする、
請求項３１乃至３３の何れか一に記載の計量機或いは組み合わせ計量機の使用方法。
【請求項３５】
該組み合わせ計量機は、
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップすることを特徴とする、
請求項３１乃至３４の何れか一に記載の組み合わせ計量機の使用方法。
【請求項３６】
該組み合わせ計量機の計量皿は、
一列又は二列に配置されてなり、
重量ランク選別を含む作業時に於いて両側からの作業が可能であることを特徴とする、
請求項３１乃至３５の何れか一に記載の組み合わせ計量機の使用方法。
【請求項３７】
該組み合わせ計量機の計量皿は、
一列又は二列に配置されてなり、
且つ、一列の場合にもその両側に指示機構を有して両側からの作業が可能であることを特徴とする、
請求項３６記載の組み合わせ計量機の使用方法。
【請求項３８】
該計量機或いは組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項３１乃至３７の何れか一に記載の計量機或いは組み合わせ計量機の使用方法。
【請求項３９】
該計量機或いは組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする、
請求項３１乃至３８の何れか一に記載の計量機或いは組み合わせ計量機の使用方法。
【請求項４０】
該組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする、
請求項３５乃至３９の何れか一に記載の計量機或いは組み合わせ計量機の使用方法。
【発明の詳細な説明】
【技術分野】
【０００１】
本発明は、野菜・食品等の単体及び／又は組み合わせを秤量するための計量機或いは組み合わせ計量機において、簡便な構成で重量ランク選別、組み合わせ計量と併用可能なランク選別、ペース配分が可能なナビゲーション、或いは、秤量対象物へのタッチ数を減らすことのできる、計量機、組み合わせ計量機、計量機の使用方法及び組み合わせ計量機の使用方法に関するものである。
【背景技術】
【０００２】
野菜・食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。また、農作物や水産物には１個あたりの重さによるＳ・Ｍ・Ｌなどの重量ランクが存在する。。例えばイチゴの出荷規格は、 品質で３段階、 等級 (大小) で６段階、さらには等級に応じての重量で３段階に分けられ, 非常に煩雑となっている。ＳのイチゴはＳのトレーに、ＭのイチゴはＭのトレーにというようにそれぞれの重量ランクにあわせてトレー詰めしていくのであるが、重量ランクには幅があるため重量ランク内の大きめの単体が集中して組み合わされると重量オーバーになり、逆だと重量不足になるといった問題があった。
【０００４】
量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。しかし、個別の農家や小規模の出荷組合等に於いては大規模で高価な自動機の組み合わせ計量機を導入する余裕はなく、手作業による秤量選別が行われているのが実情である。また、単体の計量機或いは組み合わせ計量機を問わず、計量対象に水滴の付着した野菜類、泥や土の付着した野菜類、水分含有量の多い食品類或いは軟弱な食品類に対応して、防水構造により水分及び／又は汚染物の測定部への侵入を防止し、安定した計測を行えるものは非常に高価な装置であり、、個別の農家や小規模の出荷組合等に於いては導入が難しかった。
【０００５】
簡便な構成で重量ランク選別、組み合わせ計量と併用可能なランク選別、ペース配分が可能なナビゲーション、或いは、秤量対象物へのタッチ数を減らすことが可能な計量機、組み合わせ計量機、計量機の使用方法及び組み合わせ計量機の使用方法が求められているが、現状このような製品は実用化されていない。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
これらの課題を解決するため、筆者らは、簡素な構成でコストが安く、各種の野菜等の商品に簡単な段取り変更で対応可能であるとともに、効率の良い作業が可能な組み合わせ計量機を開発してきている。
【０００９】
野菜・食品等のうちには、例えばイチゴやサクランボなどのように付加価値は高いものの重量によるランク分けが多岐に亘り且つ厳密な商品、さらにトレー等の容器への詰め方が非常に複雑なものがあり、これらの野菜・食品を効率良く重量ランク選別、組み合わせ計量と併用可能なランク選別、ペース配分が可能なナビゲーションをすることは非常に困難であり、対策が求められていた。
【００１０】
さらに、例えばイチゴやサクランボなどは収穫、選別、容器詰めの一連の作業に於いて作業者が果実に触れる回数が品質保持に直結するため、秤量対象物へのタッチ数を減らすことのできる、計量機、組み合わせ計量機、計量機の使用方法及び組み合わせ計量機の使用方法が求められていた。
【課題を解決するための手段】
【００１１】
本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことを特徴とする、計量機或いは組み合わせ計量機であり、それらの使用方法である。
【００１２】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、設定重量に対して重量をバー表示することにより重量ランクを示すことを特徴とする、計量機或いは組み合わせ計量機であり、それらの使用方法である。
【００１３】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートすることを特徴とする、計量機或いは組み合わせ計量機であり、それらの使用方法である。
【００１４】
また本発明は、該マトリクス表示素子がマトリクスＬＥＤ表示素子であることを特徴とする。
【００１５】
また本発明は、該組み合わせ計量機が複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップすることを特徴とする。
【００１６】
また本発明は、該組み合わせ計量機の計量皿が一列又は二列に配置されてなり、重量ランク選別を含む作業時に於いて両側からの作業が可能であることを特徴とする。また本発明は、該組み合わせ計量機の計量皿が一列又は二列に配置されてなり、且つ、一列の場合にもその両側に指示機構を有して両側からの作業が可能であることを特徴とする。
【００１７】
また本発明は、該計量機或いは組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００１８】
また本発明は、該計量機或いは組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする。或いは本発明は、該組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする。
【００１９】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し重量ランク選別に使用でき、さらに該計量機或いは組み合わせ計量機は移動のための車輪或いは台車を有し、計量物の収穫場所にて使用可能なことを特徴とする、計量機或いは組み合わせ計量機であり、それらの使用方法である。
【００２０】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し重量ランク選別に使用でき、さらに該計量機或いは組み合わせ計量機は移動のための車輪或いは台車を有し、計量物の収穫場所にて使用可能なことを特徴とする、計量機或いは組み合わせ計量機であり、それらの使用方法である。
【００２１】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートする機構を有し、さらに該計量機或いは組み合わせ計量機は移動のための車輪或いは台車を有し、計量物の収穫場所にて使用可能なことを特徴とする、計量機或いは組み合わせ計量機であり、それらの使用方法である。
【００２２】
また本発明は、該マトリクス表示素子がマトリクスＬＥＤ表示素子であることを特徴とする。
【００２３】
また本発明は、該組み合わせ計量機が複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップすることを特徴とする。
【００２４】
また本発明は、該組み合わせ計量機の計量皿が一列又は二列に配置されてなり、重量ランク選別を含む作業時に於いて両側からの作業が可能であることを特徴とする。また本発明は、該組み合わせ計量機の計量皿が一列又は二列に配置されてなり、且つ、一列の場合にもその両側に指示機構を有して両側からの作業が可能であることを特徴とする。
【００２５】
また本発明は、該計量機或いは組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００２６】
また本発明は、該計量機或いは組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする。或いは本発明は、該組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする。
【発明の効果】
【００２７】
本発明に係る計量機、組み合わせ計量機、計量機の使用方法及び組み合わせ計量機の使用方法は、野菜等の単体及び／又は組み合わせを秤量するための計量機或いは組み合わせ計量機において、簡便な構成で重量ランク選別、組み合わせ計量と併用可能なランク選別、ペース配分が可能なナビゲーション、或いは、秤量対象物へのタッチ数を減らすことのできる、計量機、組み合わせ計量機、計量機の使用方法及び組み合わせ計量機の使用方法を実現し、計量機の用途を拡大することを可能とし、作業効率を向上させ、もって社会に資することが出来る。
【図面の簡単な説明】
【００２８】
【図１】図１は、本発明に係る計量機又は組み合わせ計量機に用いるマトリクスＬＥＤ素子を説明するための図面代用写真である。
【図２】図２は、本発明に係る組み合わせ計量機の一例を説明するための図である。
【発明を実施するための形態】
【００２９】
本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことを特徴とする、計量機或いは組み合わせ計量機であり、それらの使用方法である。
【００３０】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、設定重量に対して重量をバー表示することにより重量ランクを示すことを特徴とする、計量機或いは組み合わせ計量機であり、それらの使用方法である。
【００３１】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートすることを特徴とする、計量機或いは組み合わせ計量機であり、それらの使用方法である。
【００３２】
また本発明は、該マトリクス表示素子がマトリクスＬＥＤ表示素子であることを特徴とする。
【００３３】
また本発明は、該組み合わせ計量機が複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップすることを特徴とする。
【００３４】
また本発明は、該組み合わせ計量機の計量皿が一列又は二列に配置されてなり、重量ランク選別を含む作業時に於いて両側からの作業が可能であることを特徴とする。また本発明は、該組み合わせ計量機の計量皿が一列又は二列に配置されてなり、且つ、一列の場合にもその両側に指示機構を有して両側からの作業が可能であることを特徴とする。
【００３５】
また本発明は、該計量機或いは組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００３６】
また本発明は、該計量機或いは組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする。或いは本発明は、該組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする。
【００３７】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し重量ランク選別に使用でき、さらに該計量機或いは組み合わせ計量機は移動のための車輪或いは台車を有し、計量物の収穫場所にて使用可能なことを特徴とする、計量機或いは組み合わせ計量機であり、それらの使用方法である。
【００３８】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機構を有し重量ランク選別に使用でき、さらに該計量機或いは組み合わせ計量機は移動のための車輪或いは台車を有し、計量物の収穫場所にて使用可能なことを特徴とする、計量機或いは組み合わせ計量機であり、それらの使用方法である。
【００３９】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートする機構を有し、さらに該計量機或いは組み合わせ計量機は移動のための車輪或いは台車を有し、計量物の収穫場所にて使用可能なことを特徴とする、計量機或いは組み合わせ計量機であり、それらの使用方法である。
【００４０】
また本発明は、該マトリクス表示素子がマトリクスＬＥＤ表示素子であることを特徴とする。
【００４１】
また本発明は、該組み合わせ計量機が複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップすることを特徴とする。
【００４２】
また本発明は、該組み合わせ計量機の計量皿が一列又は二列に配置されてなり、重量ランク選別を含む作業時に於いて両側からの作業が可能であることを特徴とする。また本発明は、該組み合わせ計量機の計量皿が一列又は二列に配置されてなり、且つ、一列の場合にもその両側に指示機構を有して両側からの作業が可能であることを特徴とする。
【００４３】
また本発明は、該計量機或いは組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００４４】
また本発明は、該計量機或いは組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする。或いは本発明は、該組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする。
【実施例１】
【００４５】
図１は、本発明に係る計量機又は組み合わせ計量機に用いるマトリクスＬＥＤ素子を説明するための図面代用写真である。図中の１はマトリクスＬＥＤ素子の表面（表示面）であり、複数の発光素子がマトリクス状に並んでいる。図中の２はその裏面であり、接続端子がある。本発明に係る野菜・食品等の単体及び／又は組み合わせを秤量するための計量機或いは組み合わせ計量機及びそれらの使用方法においては、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことを特徴とする。
【００４６】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、設定重量に対して重量をバー表示することにより重量ランクを示すことを特徴とする、計量機或いは組み合わせ計量機であり、それらの使用方法である。
【００４７】
また本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートすることを特徴とする、計量機或いは組み合わせ計量機であり、それらの使用方法である。
【００４８】
農作物や水産物には１個あたりの重さによるＳ・Ｍ・Ｌなどの重量ランクが存在する。従来、重量によりランク表示する方法は大きく３種類あった。このうち、音声による表示が最も一般的である。かかる方法は重量の変動を認識してコンピュータでＳ・Ｍ・Ｌなどの重量ランクを発声してナビゲーションするのであるが、重量の変動幅を正しく認識するためには振動による重量変動が収まるのを待つ時間が必要である。この時間は１．０〜１．５秒程度になるが作業者にとってはこの待ち時間が長すぎると感じられる。また、複数台の使用あるいは複数の計量部位を有する組み合わせ計量機の使用の場合は同時に発声した場合ユーザーが聞き取れないという問題があり、必然的に１人に対して１つの重量センサーを用いたはかりを用いることになり、作業効率が悪かった。
【００４９】
次に、バー表示ＬＥＤによる表示も用いられている。これは設定重量に対して重量をバー表示ＬＥＤで表示するもので、設定重量の幅を棒グラフのように視覚的にユーザーにナビゲーションする。これは、重量チェッカーとしては利用されているが重量ランク選別としては一般的でない。
【００５０】
さらに、光による表示があり、ＬＥＤの点灯パターンで表示するもの代表的である。点灯が１度ならＳ、２度ならＭなどの表示をするものであるが、雑なランク選別には適しておらず普及していない。
【００５１】
そこで本発明は、野菜・食品等の単体及び／又は組み合わせを秤量するための計量機或いは組み合わせ計量機において、該計量機或いは組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことを特徴とする、計量機或いは組み合わせ計量機であり、それらの使用方法を提供し、簡便な構成で重量ランク選別、組み合わせ計量と併用可能なランク選別、ペース配分が可能なナビゲーション、或いは、秤量対象物へのタッチ数を減らすことのできる、計量機、組み合わせ計量機、計量機の使用方法及び組み合わせ計量機の使用方法を実現した。
【００５２】
本発明は、該マトリクス表示素子の一部をレベル表示領域とし、設定重量に対して重量をバー表示することにより重量ランクを示すようにしても良い。さらに本発明は、、該マトリクス表示素子の一部をレベル表示領域とし、該マトリクス表示素子にあらかじめ登録された大・中・小或いはＳ・Ｍ・Ｌ等の重量ランクを示す文字を表示するとともに、該マトリクス表示素子の一部をレベル表示領域としてこれにより全体の個数と重量に対する詰め方のペース配分をナビゲートするようにしても良い。
【００５３】
表示素子はマトリクス表示素子であれば好適に用いられ、液晶表示素子などでも良いが、コスト面及び輝度面からはマトリクスＬＥＤ素子が最も好適である。本実施例に於いては、図１に示すような素子を用いて構成した。ここで、図２は本発明に係る組み合わせ計量機の一例を説明するための図である。このように、組み合わせ計量機の構成においても本発明の構成を応用することにより複数の秤量部を同時に用いての重量ランク選別が可能となり、さらに組み合わせ計量もな〜うとなる。この構成の場合、両側から複数の作業者が同時に作業することもできる。
【００５４】
かかる構成により、簡便な構成で重量ランク選別、組み合わせ計量と併用可能なランク選別、ペース配分が可能なナビゲーション、或いは、秤量対象物へのタッチ数を減らすことを可能とし、作業効率を向上させることができた。
【００５５】
マトリクスＬＥＤによる文字表示ならば１人に対して複数の重量センサーを用いたはかりでもユーザーは認識可能である。これは、単体の計量機を複数台用いる場合にも有効であるとともに、複数の計量部位を有する組み合わせ計量機を重量ランク選別に併用することも可能とした。
【００５６】
かかる構成により、待ち時間も解消され処理速度が改善される。また、機械式の自動排出と異なり落下による衝撃がないため青果物が傷みにくく、マトリクスＬＥＤによる重量ランク表示は青果物の重量ランク選別に適しているといえる。
【００５７】
さらに、マトリクスＬＥＤを用いたことにより、最適重量表示のみならず様々な情報を表示することが可能になった。即ち、重量ランクの表示のみならず電光掲示板表示による情報発信なども可能となった。さらに、組み合わせ計量機に搭載することにより、組み合わせ計量も同時に行うことも可能となった。
【００５８】
ここで、イチゴやサクランボなどの傷みやすい果実の選別、容器詰めにあたっての効果について述べる。例えばイチゴの出荷規格は、 品質で３段階、 等級 (大小) で６段階、さらには等級に応じての重量で３段階に分けられ, 非常に煩雑となっている。ＳのイチゴはＳのトレーに、ＭのイチゴはＭのトレーにというようにそれぞれの重量ランクにあわせてトレー詰めしていくのであるが、重量ランクには幅があるため重量ランク内の大きめの単体が集中して組み合わされると重量オーバーになり、逆だと重量不足になるといった問題があった。
【００５９】
出荷に際しては出荷締切り時刻が設けられており, 収穫量の多い時には, 作業時間が長く, 朝早くからの作業になる。特に２月、３月には２Ｌから２Ｓの各等級のものが比較的満遍なく出荷され, 調整作業時間のみで５時間を超え, イチゴ作業時間のうちの６０％以上を占めている。また、１パック分を選果・選別するのに要する時間は,等級が小さいほど時間がかかる。このためイチゴの出荷規格や調整作業時の作業姿勢の変化および心拍数やフリッカー値の変動からイチゴの調整作業は精神神経的に負担の強い作業となっている。
【００６０】
さらにイチゴのトレーへの詰め方は非常に複雑になっている。サイズ等だけでなく詰める方向性なども細かく規定されているのである。このため、詰めている途中の下段の方で重量の過不足が発生した場合、上段のバランスが取れなくなることが頻繁に発生するため下段から詰めなおすこともしばしば発生する。これは、果実へのタッチ数を増加させ、品質の低下につながっていた。
【００６１】
また、上記のやり直しの手間が面倒なので総重量をオーバーする詰め方をするのが慣例になっており、経済的な効率も損なわれていた。
【００６２】
これに対し本発明は、マトリクスＬＥＤによる表示を応用して、最適重量をナビゲーションすることが可能にした。トリクスＬＥＤの左端をバー表示にし、全体の個数と重量に対する詰め方のペース配分が可能になる。合わせてあらかじめ登録していた大きさのランクを大、中、小などの表示と合わせることでユーザーに対してどの大きさのイチゴを取ればよいのかをナビゲーションすることができる。組合せ計量ほどの計量精度は出ないが、既存のハカリを使いよりは効果的な計量精度を出すことが可能になる。作業者の熟練度に関係なく同じ計量充填結果が出せるため効果は高い。
【実施例２】
【００６３】
さらに、本発明に於ける他の実施例として、かかるマトリクスＬＥＤを備えた計量機或いは組み合わせ計量機に、移動のための車輪或いは台車を備え、計量物の収穫場所にて使用可能とした。
【００６４】
かかる構成としたことにより、収穫時点で計量充填することができるようになり、タッチ数を「０回」とすることが可能となった。具体的には、ハウスの中で使用する台車の上にこのマトリクスＬＥＤによる最適重量ナビゲーションはかりを載せて収穫したイチゴをそのままトレー詰めしていく方法である。これは、収穫時間は多少かかるが、タッチ数が減ることとトータルのトレー詰め時間が減る効果は非常に大きく、経済的な効果は顕著であった。
【実施例３】
【００６５】
さらに、本発明に於ける他の実施例として、計量機或いは組み合わせ計量機において、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うようにした。これにより、リセットボタンの使用などが必要なくなり、作業効率が向上した。
【００６６】
同様に、組み合わせ計量機において、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うようにすることも有効であった。これにより、リセットボタンの使用などが必要なくなり、作業効率が向上した。
【００６７】
以上述べてきたように、計量機、組み合わせ計量機、計量機の使用方法及び組み合わせ計量機の使用方法は、簡便な構成で重量ランク選別、組み合わせ計量と併用可能なランク選別、ペース配分が可能なナビゲーション、或いは、秤量対象物へのタッチ数を減らすことを可能とし、作業効率を向上させ、さらに個別の農家や小規模の出荷組合等に於いても導入可能となり、作業効率の向上と農家所得の増大に与って効果のあるものとなった。
【産業上の利用可能性】
【００６８】
本発明に係る計量機、組み合わせ計量機、計量機の使用方法及び組み合わせ計量機の使用方法は、野菜等の単体及び／又は組み合わせを秤量するための計量機或いは組み合わせ計量機において、簡便な構成で重量ランク選別、組み合わせ計量と併用可能なランク選別、ペース配分が可能なナビゲーション、或いは、秤量対象物へのタッチ数を減らすことのできる、計量機、組み合わせ計量機、計量機の使用方法及び組み合わせ計量機の使用方法を実現し、計量機の用途を拡大することを可能とし、作業効率を向上させ、産業上の利用可能性は大である。
【符号の説明】
【００６９】
１    マトリクス表示素子（表面部）
２    マトリクス表示素子（裏面部）
３    秤量部
４    マトリクス表示部
【図１】
2019020308.tif 000003
【図２】
2019020308.tif 000004